【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
ＥＡＳ又はＲＦＩＤ検出システムに使用され磁気コアアンテナを含んでなる磁気コアアンテナシステムであって、前記磁気コアアンテナは、
磁気コアと；
前記磁気コアの少なくとも一部の周りに配設され第１巻数Ｎ１を有する第１共鳴巻線と；
前記磁気コアの少なくとも一部の周りに配設され第２巻数Ｎ２を有する第２非共鳴巻線を含んでなり；
Ｎ２がＮ１より大きいか等しい、磁気コアアンテナシステム。
【請求項２】
請求項１の磁気コアアンテナシステムであって、前記磁気コアアンテナを取り付けるためのシールドプレートをさらに含む磁気コアアンテナシステム。
【請求項３】
請求項２の磁気コアアンテナシステムであって、前記シールドプレートは、アルミニウム、磁気鉄鋼及び冷間圧延鋼から成るグループから選択される磁気コアアンテナシステム。
【請求項４】
請求項２の磁気コアアンテナシステムであって、前記磁気コアアンテナは前記シールドプレートに少なくとも部分的に接触する磁気コアアンテナシステム。
【請求項５】
請求項１の磁気コアアンテナシステムであって、前記ＥＡＳ又はＲＦＩＤ検出システムのコントローラに結合される一端と、前記第２非共鳴巻線に結合される他端を有する伝送路をさらに含む磁気コアアンテナシステム。
【請求項６】
請求項５の磁気コアアンテナシステムであって、前記第２非共鳴巻線は前記第１共鳴巻線に誘導的に結合される磁気コアアンテナシステム。
【請求項７】
請求項１の磁気コアアンテナシステムであって、前記第１共鳴巻線が共振コンデンサに直列に結合され、前記共振コンデンサを調整することにより、前記磁気コアアンテナは前記ＥＡＳ又はＲＦＩＤシステムの運用周波数に調整される磁気コアアンテナシステム
【請求項８】
ＥＡＳ又はＲＦＩＤ検出システムに使用するアンテナシステムであって、
互いに垂直に配設され１つの平面内に位置する第１磁気コアアンテナと第２磁気コアアンテナと；
前記ＥＡＳ又はＲＦＩＤ検出システムのコントローラに結合される一端と、前記第１磁気コアアンテナおよび前記第２磁気コアアンテナのそれぞれに結合される他端を有する伝送路と；
を含んでなるアンテナシステム。
【請求項９】
請求項８のアンテナシステムであって、前記第１及び第２磁気コアアンテナはそれぞれ、磁気コアと；前記磁気コアの少なくとも一部の周りに配設される共鳴巻線であって、第１巻数Ｎ１を有する共鳴巻線と；前記磁気コアの少なくとも一部の周りに配設される非共鳴巻線であって、第２巻数Ｎ２を有し、非共鳴巻線とを含んでなり、
Ｎ２がＮ１より大きいか等しい、アンテナシステム。
【請求項１０】
請求項９のアンテナシステムであって、前記第１及び第２磁気コアアンテナを取り付けるための１つのシールドプレートをさらに含んでなるアンテナシステム。
【請求項１１】
請求項１０のアンテナシステムであって、前記シールドプレートはアルミニウム、磁気鋼及び冷間圧延鋼から成るグループから選択されるアンテナシステム。
【請求項１２】
請求項１０のアンテナシステムであって、前記第１及び第２磁気コアアンテナは前記シールドプレートに少なくとも部分的に接触するアンテナシステム。
【請求項１３】
ＥＡＳ又はＲＦＩＤ検出システムに使用されるアンテナシステムであって、
第１磁気コアアンテナと第２磁気コアアンテナであって、前記第１磁気コアアンテナは前記第２磁気コアアンテナに直交し、共通の平面内に配置される第１磁気コアアンテナと第２磁気コアアンテナとを備え、
前記第１磁気コアアンテナと前記第２磁気コアアンテナとはそれぞれ、磁気コアと、前記磁気コアの少なくとも一部の周りに配設され第１巻数Ｎ１を有する第１共鳴巻線と、前記磁気コアの少なくとも一部の周りに配設され第２巻数Ｎ２を有する第２非共鳴巻線を備え、
Ｎ２がＮ１より大きいか等しい、アンテナシステム。
【請求項１４】
請求項１３のアンテナシステムであって、前記第１及び第２磁気コアアンテナを取り付けるための１つのシールドプレートをさらに含んでなるアンテナシステム。
【請求項１５】
請求項１４のアンテナシステムであって、前記シールドプレートはアルミニウム、磁気鉄鋼及び冷間圧延鋼から成るグループから選択されるアンテナシステム。
【請求項１６】
請求項１４のアンテナシステムであって、前記第１及び第２磁気コアアンテナは前記シールドプレートに少なくとも部分的に接触するアンテナシステム。
【請求項１７】
請求項１３のアンテナシステムであって、前記ＥＡＳ又はＲＦＩＤシステムのコントローラに結合される一端と、前記第１及び第２磁気コアアンテナの両方の前記第２非共鳴巻線に結合される他端を有する伝送路をさらに含むアンテナシステム。
【請求項１８】
ＥＡＳ又はＲＦＩＤ検出システムに使用するアンテナシステムであって；
水平方向を向く長さをそれぞれ有する第１磁気コアアンテナ及び第２磁気コアアンテナと、前記第１及び第２磁気コアアンテナに垂直な向きの長さをそれぞれ有する第３及び第４磁気コアアンテナとであって、１平面内に位置する前記第１、第２、第３及び第４の磁気コアアンテナと；
前記ＥＡＳ又はＲＦＩＤシステムのコントローラに結合される一端と、前記第１、第２、第３及び第４磁気コアアンテナのそれぞれに結合される他端を有する伝送路と；
を含んでなるアンテナシステム。
【請求項１９】
請求項１８のアンテナシステムであって、前記第１及び第２磁気コアアンテナはそれぞれ、磁気コアと；前記磁気コアの少なくとも一部の周りに配設され第１巻数Ｎｌを有する共鳴巻線と；前記磁気コアの少なくとも一部の周りに配設され第２巻数Ｎ２を有する非共鳴巻線とを含み、Ｎ２がＮ１より大きいか等しい、アンテナシステム。
【請求項２０】
請求項１９のアンテナシステムであって、前記第１及び第２磁気コアアンテナを取り付けるための１つのシールドプレートをさらに含んでなるアンテナシステム。
【請求項２１】
請求項２０のアンテナシステムであって、前記シールドプレートはアルミニウム、磁気鉄鋼及び冷間圧延鋼から成るグループから選択される。
【請求項２２】
請求項２０のアンテナシステムであって、前記第１及び第２磁気コアアンテナは前記シールドプレートに少なくとも部分的に接触するアンテナシステム。
【請求項２３】
ＥＡＳ又はＲＦＩＤ検出システムに使用するアンテナシステムであって；
水平方向を向く長さをそれぞれ有する第１磁気コアアンテナ及び第２磁気コアアンテナと、前記第１及び第２磁気コアアンテナに垂直な向きの長さをそれぞれ有する第３及び第４磁気コアアンテナとであって、１平面内に位置する前記第１、第２、第３及び第４磁気コアアンテナを備え；
前記第１、第２、第３及び第４磁気コアアンテナはそれぞれ、磁気コアと；前記磁気コアの少なくとも一部の周りに配設され第１巻数Ｎｌを有する第１共鳴巻線と；前記磁気コアの少なくとも一部の周りに配設され第２巻数Ｎ２を有する第２非共鳴巻線とを含み、
Ｎ２がＮ１より大きいか等しい、アンテナシステム。
【請求項２４】
請求項２３のアンテナシステムであって、前記第１、第２、第３及び第４の磁気コアアンテナを取り付けるための１つのシールドプレートをさらに含んでなるアンテナシステム。
【請求項２５】
請求項２４のアンテナシステムであって、前記シールドプレートはアルミニウム、磁気鉄鋼及び冷間圧延鋼から成るグループから選択される、アンテナシステム。
【請求項２６】
請求項２４のアンテナシステムであって、前記第１、第２、第３及び第４の磁気コアアンテナは前記シールドプレートに少なくとも部分的に接触する、アンテナシステム。
【請求項２７】
請求項２３のアンテナシステムであって、前記ＥＡＳ又はＲＦＩＤシステムのコントローラに結合される一端と、前記第１、第２、第３及び第４磁気コアアンテナの前記第２非共鳴巻線のそれぞれに結合される他端を有する伝送路をさらに含んでなるアンテナシステム。